(57)【要約】【課題】複数の電線をつなぎ合わせる作業に繰り返し用いることができる電線および接続部材に関する。【解決手段】電線接続訓練装置は、長手方向の少なくとも一部において雄の面ファスナー（１２Ｂ）が取り付けられた第１の電線（１０）と、長手方向の少なくとも一部において雌の面ファスナー（１２Ａ）が取り付けられた第２の電線（１０）と、第１の電線の雄の面ファスナー、および、第２の電線の雌の面ファスナーが重なって配置される第１の金型（２２）と、第１の金型と対向する位置に配置され、かつ、第１の金型に接近することによって、重なって配置された雄の面ファスナーと雌の面ファスナーとを接続させる第２の金型（２０）とを備える。【選択図】図１０
2018067440.tif 000002
【特許請求の範囲】
【請求項１】
長手方向の少なくとも一部において雄の面ファスナーが取り付けられた第１の電線と、
長手方向の少なくとも一部において雌の面ファスナーが取り付けられた第２の電線と、
前記第１の電線の前記雄の面ファスナー、および、前記第２の電線の前記雌の面ファスナーが重なって配置される第１の金型と、
前記第１の金型と対向する位置に配置され、かつ、前記第１の金型に接近することによって、重なって配置された前記雄の面ファスナーと前記雌の面ファスナーとを接続させる第２の金型とを備える、
電線接続訓練装置。
【請求項２】
前記雄の面ファスナーは、前記第１の電線の周方向に巻き付けられ、
前記雌の面ファスナーは、前記第２の電線の周方向に巻き付けられ、
前記第１の電線と前記第２の電線とは、前記雄の面ファスナーの外周面と前記雌の面ファスナーの外周面とが係合することによって接続される、
請求項１に記載の電線接続訓練装置。
【請求項３】
前記第１の金型の開口幅、および、前記第２の金型の開口幅は、巻き付けられた前記雄の面ファスナーの直径および巻き付けられた前記雌の面ファスナーの直径のいずれよりも広い、
請求項２に記載の電線接続訓練装置。
【請求項４】
長手方向の少なくとも一部において雄の面ファスナーが取り付けられた第１の電線と、
長手方向の少なくとも一部において雌の面ファスナーが取り付けられた第２の電線とを備え、
前記第１の電線と前記第２の電線とは、前記雄の面ファスナーと前記雌の面ファスナーとを介して接続される、
接続電線。
【請求項５】
前記雄の面ファスナーは、前記第１の電線の周方向に巻き付けられ、
前記雌の面ファスナーは、前記第２の電線の周方向に巻き付けられ、
前記第１の電線と前記第２の電線とは、前記雄の面ファスナーの外周面と前記雌の面ファスナーの外周面とが係合することによって接続される、
請求項４に記載の接続電線。
【発明の詳細な説明】
【技術分野】
【０００１】
本願明細書に開示される技術は、電線の接続に関するものである。
【背景技術】
【０００２】
複数の電線をつなぎ合わせる作業、たとえば、特許文献１に例示されるようなスプライス圧着などには、熟練の技能を必要とする工程が多く含まれる。そのため、当該作業を効率よく行うためには、作業者があらかじめ当該作業の訓練を行っておき、作業者の技能を高めておくことが望ましい。
【先行技術文献】
【特許文献】
【０００３】
【特許文献１】特開２００９−２９５３３３号公報
【発明の概要】
【発明が解決しようとする課題】
【０００４】
しかしながら、上記のような複数の電線をつなぎ合わせる作業を行う場合、作業に用いられた電線の接続部分は再度使用することはできなくなるため、使用することができる電線および接続部材には限りがあった。そのため、訓練に用いる場合に限らず、繰り返し上記のような作業に用いることができる電線および接続部材が求められる。
【０００５】
本願明細書に開示される技術は、以上に記載されたような問題を解決するためになされたものであり、複数の電線をつなぎ合わせる作業に繰り返し用いることができる電線および接続部材に関するものである。
【課題を解決するための手段】
【０００６】
本願明細書に開示される技術の第１の態様は、長手方向の少なくとも一部において雄の面ファスナーが取り付けられた第１の電線と、長手方向の少なくとも一部において雌の面ファスナーが取り付けられた第２の電線と、前記第１の電線の前記雄の面ファスナー、および、前記第２の電線の前記雌の面ファスナーが重なって配置される第１の金型と、前記第１の金型と対向する位置に配置され、かつ、前記第１の金型に接近することによって、重なって配置された前記雄の面ファスナーと前記雌の面ファスナーとを接続させる第２の金型とを備える。
【０００７】
本願明細書に開示される技術の第２の態様は、第１の態様に関連し、前記雄の面ファスナーは、前記第１の電線の周方向に巻き付けられ、前記雌の面ファスナーは、前記第２の電線の周方向に巻き付けられ、前記第１の電線と前記第２の電線とは、前記雄の面ファスナーの外周面と前記雌の面ファスナーの外周面とが係合することによって接続される。
【０００８】
本願明細書に開示される技術の第３の態様は、第２の態様に関連し、前記第１の金型の開口幅、および、前記第２の金型の開口幅は、巻き付けられた前記雄の面ファスナーの直径および巻き付けられた前記雌の面ファスナーの直径のいずれよりも広い。
【０００９】
本願明細書に開示される技術の第４の態様は、長手方向の少なくとも一部において雄の面ファスナーが取り付けられた第１の電線と、長手方向の少なくとも一部において雌の面ファスナーが取り付けられた第２の電線とを備え、前記第１の電線と前記第２の電線とは、前記雄の面ファスナーと前記雌の面ファスナーとを介して接続される。
【００１０】
本願明細書に開示される技術の第５の態様は、第４の態様に関連し、前記雄の面ファスナーは、前記第１の電線の周方向に巻き付けられ、前記雌の面ファスナーは、前記第２の電線の周方向に巻き付けられ、前記第１の電線と前記第２の電線とは、前記雄の面ファスナーの外周面と前記雌の面ファスナーの外周面とが係合することによって接続される。
【発明の効果】
【００１１】
本願明細書に開示される技術の第１の態様によれば、電線の少なくとも一部に、雄の面ファスナーまたは雌の面ファスナーが取り付けられることによって、面ファスナー同士を押し付けるだけで、容易に複数の電線をつなぎ合わせることができる。また、面ファスナーを有する電線同士であれば、面ファスナーを引き剥がすことによって、当該作業に繰り返し用いることができる。さらに、複数本の電線を連続して接続する場合に、一方の手で把持された複数の電線同士が互いに接着されてしまうことがない。そのため、複数の電線をつなぎ合わせる作業が容易となる。
【００１２】
特に、第２の態様および第５の態様によれば、面ファスナーの外周面同士を押し付けるだけで、容易に複数の電線をつなぎ合わせることができる。また、面ファスナーを有する電線同士であれば、面ファスナーを引き剥がすことによって、当該作業に繰り返し用いることができる。
【００１３】
本願明細書に開示される技術の第３の態様によれば、第１の金型と第２の金型とを用いて、電線に巻き付けられた面ファスナーを内包しつつ、これらを接続させることができる。
【００１４】
特に、第４の態様によれば、電線の少なくとも一部に、雄の面ファスナーまたは雌の面ファスナーが取り付けられることによって、面ファスナー同士を押し付けるだけで、容易に複数の電線をつなぎ合わせることができる。また、面ファスナーを有する電線同士であれば、面ファスナーを引き剥がすことによって、当該作業に繰り返し用いることができる。
【００１５】
本願明細書に開示される技術に関する目的と、特徴と、局面と、利点とは、以下に示される詳細な説明と添付図面とによって、さらに明白となる。
【図面の簡単な説明】
【００１６】
【図１】実施の形態に関する、電線の構造を概略的に例示する斜視図である。
【図２】図１におけるＡＡ断面における電線の構造を例示する断面図である。
【図３】実施の形態に関する、電線の構造を概略的に例示する斜視図である。
【図４】図３におけるＢＢ断面における電線の構造を例示する断面図である。
【図５】図１から図４に例示された電線同士の接続状態を例示する図である。
【図６】図１から図４に例示された電線同士の他の接続状態を例示する図である。
【図７】図１から図４に例示された電線同士の他の接続状態を例示する図である。
【図８】本実施の形態に関する、電線接続装置の構造を概略的に例示する側面図である。
【図９】上金型と下金型との間に電線が配置された状態を例示する正面図である。
【図１０】上金型と下金型との間において配置された電線同士の接続状態を例示する側面図である。
【発明を実施するための形態】
【００１７】
以下、添付される図面を参照しながら実施の形態について説明する。
【００１８】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。
【００１９】
また、以下に示される説明では、同様の構成要素には同じ符号を付して図示し、それらの名称と機能とについても同様のものとする。したがって、それらについての詳細な説明を、重複を避けるために省略する場合がある。
【００２０】
また、以下に記載される説明において、「上」、「下」、「左」、「右」、「側」、「底」、「表」または「裏」などの特定の位置と方向とを意味する用語が用いられる場合があっても、これらの用語は、実施の形態の内容を理解することを容易にするために便宜上用いられるものであり、実際に実施される際の方向とは関係しないものである。
【００２１】
また、以下に記載される説明において、「第１の」、または、「第２の」などの序数が用いられる場合があっても、これらの用語は、実施の形態の内容を理解することを容易にするために便宜上用いられるものであり、これらの序数によって生じ得る順序などに限定されるものではない。
【００２２】
＜実施の形態＞
以下、本実施の形態に関する接続電線、および、電線接続訓練装置について説明する。
【００２３】
＜電線の構造について＞
図１は、本実施の形態に関する電線の構造を概略的に例示する斜視図である。図１に例示されるように、電線１０は、芯線１０Ａと、芯線１０Ａの周囲を覆う絶縁被膜１０Ｂとを備える。また、電線１０の長手方向の一部の周方向には、接続部材である面ファスナー１２Ａが巻き付けられる。
【００２４】
芯線１０Ａは、銅またはアルミニウムなどの金属を主成分とする線材である。絶縁被膜１０Ｂは、たとえば、ポリエチレン、塩化ビニルまたはポリアミド系ナイロンなどを主成分とする合成樹脂の部材である。
【００２５】
図１における面ファスナー１２Ａは、たとえば、電線１０の径方向の外側に向いた雌の面ファスナーであり、電線１０の長手方向における端部に巻き付けられる。なお、面ファスナー１２Ａが巻き付けられる箇所は、電線１０の長手方向における端部でない箇所であってもよい。
【００２６】
面ファスナー１２Ａと絶縁被膜１０Ｂとの間は、たとえば、ホットメルト系接着剤などの熱可塑性接着剤で接着することができる。
【００２７】
図２は、図１におけるＡＡ断面における電線の構造を例示する断面図である。図２に例示されるように、面ファスナー１２Ａは、電線１０の径方向の外側に雌の面ファスナーが向けられる態様で、絶縁被膜１０Ｂに巻き付けられている。
【００２８】
図３は、本実施の形態に関する電線の構造を概略的に例示する斜視図である。図３に例示されるように、電線１０の長手方向の一部の周方向には、接続部材である面ファスナー１２Ｂが巻き付けられる。
【００２９】
図３における面ファスナー１２Ｂは、たとえば、電線１０の径方向の外側に向いた雄の面ファスナーであり、電線１０の長手方向における端部でない箇所に巻き付けられる。なお、面ファスナー１２Ｂが巻き付けられる箇所は、電線１０の長手方向における端部であってもよい。
【００３０】
面ファスナー１２Ｂと絶縁被膜１０Ｂとの間は、たとえば、ホットメルト系接着剤などの熱可塑性接着剤で接着することができる。
【００３１】
図４は、図３におけるＢＢ断面における電線の構造を例示する断面図である。図４に例示されるように、面ファスナー１２Ｂは、電線１０の径方向の外側に雄の面ファスナーが向けられる態様で、絶縁被膜１０Ｂに巻き付けられている。
【００３２】
図５は、図１から図４に例示された電線同士の接続状態、すなわち、接続電線を例示する図である。図５に例示されるように、電線１０に巻き付けられた面ファスナー１２Ａと面ファスナー１２Ｂとは、互いの外周面同士が接触する。そして、雄の面ファスナー１２Ｂが雌の面ファスナー１２Ａに引っかかることによって、すなわち、雄の面ファスナー１２Ｂの外周面と雌の面ファスナー１２Ａの外周面とが係合することによって、面ファスナー１２Ａと面ファスナー１２Ｂとが接続される。以上のように、面ファスナー１２Ａと面ファスナー１２Ｂとを介して、電線同士が接続される。
【００３３】
図６は、図１から図４に例示された電線同士の他の接続状態を例示する図である。図６に例示されるように、双方ともに電線１０の端部に巻き付けられた面ファスナー１２Ａと面ファスナー１２Ｂとが、互いの外周面において接触する。そして、雄の面ファスナー１２Ｂが雌の面ファスナー１２Ａに引っかかることによって、面ファスナー１２Ａと面ファスナー１２Ｂとが接続される。
【００３４】
図７は、図１から図４に例示された電線同士の他の接続状態を例示する図である。図７に例示されるように、双方ともに電線１０の端部に巻き付けられた面ファスナー１２Ａと面ファスナー１２Ｂとが、互いの外周面において接触する。なお、図６に例示された電線同士の接続状態とは異なり、面ファスナー１２Ａと面ファスナー１２Ｂとが、ともに電線１０の図７における左側の端部に巻き付けられており、双方の電線１０は、図７における左側の端部において接続される。
【００３５】
＜電線接続装置について＞
図８は、本実施の形態に関する電線接続装置の構造を概略的に例示する側面図である。図８に例示されるように、電線接続装置は、上金型２０と、下金型２２と、上金型２０を下金型２２に対して接近または離間させる動作機構２４とを備える。
【００３６】
下金型２２は、基台２６上に配置される。下金型２２の開口幅は、電線１０に巻き付けられた面ファスナー１２Ｂの直径よりも広く設計される。また、下金型２２の開口幅は、電線１０に巻き付けられた面ファスナー１２Ａの直径よりも広く設計される。下金型２２の上面には、電線１０に巻き付けられた面ファスナー１２Ａおよび電線１０に巻き付けられた面ファスナー１２Ｂが配置される。
【００３７】
上金型２０は、下金型２２に対向する位置に配置される。上金型２０の開口幅は、電線１０に巻き付けられた面ファスナー１２Ｂの直径よりも広く設計される。また、上金型２０の開口幅は、電線１０に巻き付けられた面ファスナー１２Ａの直径よりも広く設計される。上金型２０は、電線１０に巻き付けられた面ファスナー１２Ａおよび電線１０に巻き付けられた面ファスナー１２Ｂが下金型２２の上面に配置された状態で、動作機構２４の動作によって下金型２２に接近する。そうすることで、電線１０に巻き付けられた面ファスナー１２Ａと電線１０に巻き付けられた面ファスナー１２Ｂとを接続させることができる。
【００３８】
動作機構２４は、ソレノイド２４Ａの駆動によって、上金型２０を支持する支持部２４Ｂが上下動する機構である。支持部２４Ｂおよびソレノイド２４Ａはそれぞれ、共通の支点２４Ｃを中心に回転する棒状部材２４Ｄに回転可能に接続される。そのため、ソレノイド２４Ａの上下動が、支持部２４Ｂの上下動に反映される。
【００３９】
支持部２４Ｂは、バネ（ここでは図示しない）などによって付勢されることで、ソレノイド２４Ａが駆動しない状態では、支持部２４Ｂが棒状部材２４Ｄを押し上げる。そのため、ソレノイド２４Ａが駆動しない状態では、上金型２０と下金型２２とは離間した状態で維持される。
【００４０】
ソレノイド２４Ａの上下方向の駆動は、たとえば、作業者の足下に配置されるフットペダル（ここでは図示しない）によって制御可能である。
【００４１】
なお、電線接続装置は、上記の構成のものに限られない。すなわち、電線１０に巻き付けられた面ファスナー１２Ａおよび電線１０に巻き付けられた面ファスナー１２Ｂに対応する比較的広い幅の金型を備えているものであれば、たとえば、電線の端部に端子を圧着する圧着装置であっても流用することができる。
【００４２】
図９は、上金型と下金型との間に電線が配置された状態を例示する正面図である。図９に例示されるように、面ファスナー１２Ｂが巻き付けられた電線１０と、面ファスナー１２Ａが巻き付けられた電線１０とは、図９における上下方向、すなわち、上金型２０と下金型２２とを結ぶ方向に並んで配置される。なお、当該配列は、たとえば、図６に例示された電線同士の接続状態の場合であっても、または、図７に例示された電線同士の接続状態の場合であっても同様である。また、面ファスナー１２Ａと面ファスナー１２Ｂとの上下位置は、逆であってもよい。
【００４３】
ただし、本実施の形態に関する電線接続装置を用いて、たとえば、電線同士をスプライス圧着するための訓練を行う場合には、スプライス端子の底面が、圧着によってかしめられて形成されるスプライス端子の上面よりも広い幅を有していることを鑑みて、電線１０の端部に巻き付けられた面ファスナー１２Ａがスプライス端子の底面に対向するように、すなわち、面ファスナー１２Ｂが巻き付けられた電線１０を図９における上側に、面ファスナー１２Ａが巻き付けられた電線１０を図９における下側に配置することが望ましい。
【００４４】
これは、電線１０の端部において露出する芯線１０Ａは、スプライス端子の上面からはみ出た部分がスプライス端子から立ち上がる場合がある。そうすると、圧着が完了したスプライス端子にテープ巻きなどの作業を行う場合に、巻き付けられたテープが破れやすくなるなどの不具合が生じる。これに対し、電線１０の端部において露出する芯線１０Ａを、スプライス端子の上面よりも広いスプライス端子の底面に対向させて配置すれば、スプライス端子からはみ出る芯線１０Ａを少なくすることができる。そのため、圧着が完了したスプライス端子に巻き付けられたテープが破れる不具合を抑制することができる。
【００４５】
図１０は、上金型と下金型との間において配置された電線同士の接続状態を例示する側面図である。図１０に例示されるように、上金型２０が下金型２２に接近する方向に移動することによって、上下方向に、すなわち、上金型２０と下金型２２とを結ぶ方向に並べて配置された双方の電線１０は、その外周面が互いに押し付けられる。
【００４６】
そして、雄の面ファスナー１２Ｂが雌の面ファスナー１２Ａに引っかかることによって、面ファスナー１２Ａと面ファスナー１２Ｂとが接続される。以上のように、面ファスナー１２Ａと面ファスナー１２Ｂとを介して、電線１０同士が接続される。
【００４７】
さらに、双方の電線１０を接続している部材が面ファスナーであることによって、面ファスナー１２Ａから面ファスナー１２Ｂを引き剥がしてしまえば、複数の電線をつなぎ合わせる作業に繰り返し用いることができる。
【００４８】
＜以上に記載された実施の形態によって生じる効果について＞
次に、以上に記載された実施の形態によって生じる効果を例示する。なお、以下の説明においては、以上に記載された実施の形態に例示された具体的な構成に基づいて当該効果が記載されるが、同様の効果が生じる範囲で、本願明細書に例示される他の具体的な構成と置き換えられてもよい。
【００４９】
また、以上に記載された実施の形態によれば、電線接続訓練装置は、長手方向の少なくとも一部において雄の面ファスナー１２Ｂが取り付けられた電線と、長手方向の少なくとも一部において雌の面ファスナー１２Ａが取り付けられた電線と、第１の金型と、第２の金型とを備える。第１の金型は、雄の面ファスナー１２Ｂ、および、雌の面ファスナー１２Ａが重なって配置される。第２の金型は、第１の金型と対向する位置に配置される。また、第２の金型は、第１の金型に接近することによって、重なって配置された雄の面ファスナー１２Ｂと雌の面ファスナー１２Ａとを接続させる。ここで、第１の金型は、たとえば、下金型２２に対応するものである。また、第２の金型は、たとえば、上金型２０に対応するものである。
【００５０】
このような構成によれば、電線１０の少なくとも一部に、雄の面ファスナーまたは雌の面ファスナーが取り付けられることによって、面ファスナー同士を押し付けるだけで、容易に複数の電線をつなぎ合わせることができる。また、面ファスナーを有する電線同士であれば、面ファスナー１２Ａから面ファスナー１２Ｂを引き剥がすことによって、当該作業に繰り返し用いることができる。さらに、複数本の電線を連続して接続する場合に、一方の手で把持された複数の電線同士が互いに接着されてしまうことがない。そのため、複数の電線をつなぎ合わせる作業が容易となる。
【００５１】
なお、これらの構成以外の本願明細書に例示される他の構成については適宜省略することができる。すなわち、これらの構成のみで、以上に記載された効果を生じさせることができる。
【００５２】
しかしながら、本願明細書に例示される他の構成のうちの少なくとも１つを以上に記載された構成に適宜追加した場合、すなわち、以上に記載された構成としては記載されなかった本願明細書に例示される他の構成を以上に記載された構成に追加した場合でも、同様に以上に記載された効果を生じさせることができる。
【００５３】
また、以上に記載された実施の形態によれば、雄の面ファスナー１２Ｂは、電線１０の周方向に巻き付けられる。また、雌の面ファスナー１２Ａは、電線１０の周方向に巻き付けられる。そして、電線同士は、雄の面ファスナー１２Ｂの外周面と雌の面ファスナー１２Ａの外周面とが係合することによって接続される。このような構成によれば、電線１０の少なくとも一部に、雄の面ファスナーまたは雌の面ファスナーが外向きに巻き付けられることによって、面ファスナーの外周面同士を押し付けるだけで、容易に複数の電線をつなぎ合わせることができる。また、面ファスナーを有する電線同士であれば、面ファスナー１２Ａから面ファスナー１２Ｂを引き剥がすことによって、当該作業に繰り返し用いることができる。
【００５４】
また、以上に記載された実施の形態によれば、下金型２２の開口幅、および、上金型２０の開口幅は、巻き付けられた雄の面ファスナー１２Ｂの直径および巻き付けられた雌の面ファスナー１２Ａの直径のいずれよりも広い。このような構成によれば、上金型２０と下金型２２とを用いて、電線１０に巻き付けられた面ファスナー１２Ｂおよび電線１０に巻き付けられた面ファスナー１２Ａを内包しつつ、これらを接続させることができる。
【００５５】
以上に記載された実施の形態によれば、接続電線は、長手方向の少なくとも一部において雄の面ファスナー１２Ｂが取り付けられた電線と、長手方向の少なくとも一部において雌の面ファスナー１２Ａが取り付けられた電線とを備える。そして、電線同士は、雄の面ファスナー１２Ｂと雌の面ファスナー１２Ａとを介して接続される。
【００５６】
このような構成によれば、電線１０の少なくとも一部に、雄の面ファスナーまたは雌の面ファスナーが取り付けられることによって、面ファスナー同士を押し付けるだけで、容易に複数の電線をつなぎ合わせることができる。また、面ファスナーを有する電線同士であれば、面ファスナー１２Ａから面ファスナー１２Ｂを引き剥がすことによって、当該作業に繰り返し用いることができる。さらに、複数本の電線を連続して接続する場合に、一方の手で把持された複数の電線同士が互いに接着されてしまうことがない。そのため、複数の電線をつなぎ合わせる作業が容易となる。
【００５７】
なお、これらの構成以外の本願明細書に例示される他の構成については適宜省略することができる。すなわち、少なくともこれらの構成を備えていれば、以上に記載された効果を生じさせることができる。
【００５８】
しかしながら、本願明細書に例示される他の構成のうちの少なくとも１つを以上に記載された構成に適宜追加した場合、すなわち、以上に記載された構成としては記載されなかった本願明細書に例示される他の構成を以上に記載された構成に追加した場合でも、同様に以上に記載された効果を生じさせることができる。
【００５９】
＜以上に記載された実施の形態における変形例について＞
以上に記載された実施の形態では、それぞれの構成要素の材質、材料、寸法、形状、相対的配置関係または実施の条件などについても記載する場合があるが、これらはすべての局面において例示であって、本願明細書に記載されたものに限られることはないものとする。
【００６０】
したがって、例示されていない無数の変形例、および、均等物が、本願明細書に開示される技術の範囲内において想定される。たとえば、少なくとも１つの構成要素を変形する場合、追加する場合または省略する場合が含まれるものとする。
【００６１】
また、矛盾が生じない限り、以上に記載された実施の形態において「１つ」備えられるものとして記載された構成要素は、「１つ以上」備えられていてもよいものとする。
【００６２】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【００６３】
また、以上に記載された実施の形態におけるそれぞれの構成要素には、同一の機能を発揮する限り、他の構造または形状を有する構造物が含まれるものとする。
【００６４】
また、本願明細書における説明は、本技術に関するすべての目的のために参照され、いずれも、従来技術であると認めるものではない。
【００６５】
また、以上に記載された実施の形態において、特に指定されずに材料名などが記載された場合は、矛盾が生じない限り、当該材料に他の添加物が含まれた、たとえば、合金などが含まれるものとする。
【符号の説明】
【００６６】
１０  電線
１０Ａ  芯線
１０Ｂ  絶縁被膜
１２Ａ，１２Ｂ  面ファスナー
２０  上金型
２２  下金型
２４  動作機構
２４Ａ  ソレノイド
２４Ｂ  支持部
２４Ｃ  支点
２４Ｄ  棒状部材
２６  基台
【図１】
2018067440.tif 000003
【図２】
2018067440.tif 000004
【図３】
2018067440.tif 000005
【図４】
2018067440.tif 000006
【図５】
2018067440.tif 000007
【図６】
2018067440.tif 000008
【図７】
2018067440.tif 000009
【図８】
2018067440.tif 000010
【図９】
2018067440.tif 000011
【図１０】
2018067440.tif 000012